(57)【要約】【課題】  交流から直流へ変換する平滑用のチョークコイルと出力制御部の基板の配置を冷却構造を踏まえて最適なレイアウト構成とし、チョークコイルの収納スペースが出力制御部の配置の妨げになるのを防止する。【解決手段】  本体１の上面にトッププレート３を配置し、このトッププレート３下部の右側と左側に加熱コイルＡ４と加熱コイルＢ７を設け、この加熱コイルＡ４と加熱コイルＢ７等を駆動する複数の出力制御部６を本体１内の基板収納部５に収納し、本体１の後方に吸気口１８と排気口１９を配置してなる加熱調理器において、本体１内で排気口１９の入口側に平滑用のチョークコイル２０を配置し、このチョークコイル２０をケースカバー２１で上面から覆った。【選択図】  図１
2005050716.tif 000002
【特許請求の範囲】
【請求項１】
本体（１）の上面にトッププレート（３）を配置し、このトッププレート（３）下部の右側と左側に加熱コイルＡ（４）と加熱コイルＢ（７）を設け、この加熱コイルＡ（４）と加熱コイルＢ（７）等を駆動する複数の出力制御部（６）を本体（１）内の基板収納部（５）に収納し、本体（１）の後方に吸気口（１８）と排気口（１９）を配置してなる加熱調理器において、本体（１）内で排気口（１９）の入口側に平滑用のチョークコイル（２０）を配置したことを特徴とする加熱調理器。
【請求項２】
チョークコイル（２０）をケースカバー（２１）で上面から覆うことを特徴とする請求項１記載の加熱調理器。
【発明の詳細な説明】
【技術分野】
【０００１】
本発明は、一般家庭の厨房で誘導加熱を熱源としてトッププレート上の鍋などの調理器具を加熱する誘導加熱調理器などの加熱調理器に関するものである。
【背景技術】
【０００２】
誘導加熱調理器は、高周波電流を加熱用コイルに流してその加熱用コイルの上面に配置した金属性の鍋に渦電流を発生させ、そのジュール熱によって鍋自体が自己発熱することで、鍋を効率よく加熱するものである。
【０００３】
当初の誘導加熱調理器は、鉄などの磁性金属の鍋のみが加熱できるだけであったが、近年の誘導加熱調理器は非磁性金属であるステンレス製鍋なども加熱できるようになってきている。さらに、加熱できないとされてきたアルミニウム製鍋を加熱できるものも提案されてきている。
【０００４】
特許文献１（特開２００３−１７２３２号公報）に示すものは、本体後方に吸気部と排気部とを設け、本体内にはトッププレートの下部に位置した複数の加熱コイルと、前記吸気部と通気路で繋がった冷却ファンと、前記加熱コイルをそれぞれ駆動する複数の出力制御部の基板と、交流から直流へ変換する平滑用のチョークコイルを備え、前記複数の基板とチョークコイルを本体内の片側の基板収納部に集めて配置し、複数の加熱コイルのうち１個はアルミニウム製鍋を連続加熱できる加熱コイルとし、この加熱コイルと複数の基板のうち最も近接する基板とを電気的に接続した構成よりなるものであり、これによってアルミニウム製鍋を連続加熱できる加熱コイルの動作の安定性、発熱ロスの低減を図るようにしたものである。
【０００５】
【特許文献１】特開２００３−１７２３２号公報
【発明の開示】
【発明が解決しようとする課題】
【０００６】
上記したように、近年の誘導加熱調理器は非磁性金属のアルミニウム製鍋を連続加熱できる等、その製品性能が大幅に向上してきており、これに伴って出力制御部の部品点数が増加し、さらに構成が複雑となり、大型化してきている。
【０００７】
また、出力制御部の基板とともに配置されるチョークコイル自体もアルミニウム加熱に対応して大型化しているため、上記した従来構成のレイアウトでは、冷却構造も踏まえて基板等の最適なレイアウト構成を行なおうとすると、チョークコイルの収納スペースが妨げになり、配置が複雑になるという問題があった。
【課題を解決するための手段】
【０００８】
本発明は、上記従来の課題を解決するためになされたもので、具体的には、本体の上面にトッププレートを配置し、このトッププレート下部の右側と左側に加熱コイルＡと加熱コイルＢを設け、この加熱コイルＡと加熱コイルＢ等を駆動する複数の出力制御部を本体内の基板収納部に収納し、本体の後方に吸気口と排気口を配置してなる加熱調理器において、本体内で排気口の入口側に平滑用のチョークコイルを配置したものである。
【０００９】
また、前記チョークコイルをケースカバーで上面から覆うものである。
【発明の効果】
【００１０】
本発明によれば、チョークコイルを本体後方の排気口の入口側に配置して冷却を行なうことにより、出力制御部のレイアウトで大きな面積を占めていたチョークコイルを出力制御部の基板から分離し、冷却構造を踏まえた基板やチョークコイルの最適なレイアウト構成を行なうことができる。
【００１１】
また、非磁性体であるアルミニウム製鍋の連続加熱等、出力制御部の基板が大きくなることが避けられない近年のハイパワー化に対しても、本体の制約寸法内で大型化した出力制御部の基板やチョークコイルを確実に本体内に収納し、製品の性能を向上させることができる。
【発明を実施するための最良の形態】
【００１２】
以下、本発明の実施の形態について図１から図３に従って説明する。
【００１３】
図１は、本発明の誘導加熱調理器の一部を分解した斜視図、図２は、同横断面図、図３は同システムキッチンに組み込んだ状態の外観斜視図を示すものである。
【００１４】
まず、図１において、１は誘導加熱調理器の本体、２はその外郭を形成するボトムケースで、上面が開口している。
【００１５】
３はトッププレートで、耐熱性が高い結晶化ガラスで構成されており、ボトムケース２の上面開口部を塞ぐように配置され、後部に多数の吸気用と排気用の開口穴３ａを設けている。
【００１６】
３ｂはトッププレートカバー枠で、トッププレート３の周りに取り付けられており、トッププレート３との間にシール材（図示せず）を充填して水密構造としている。
【００１７】
また、このトッププレートカバー枠３ｂは本体１にも固定されており、図３に示すように本体１をシステムキッチン１３に取り付ける際には、このトッププレートカバー枠３ｂで本体１を吊り上げた状態で設置される。
【００１８】
４は非磁性金属であるアルミニウム製鍋を連続加熱できる加熱コイルＡ、７は鉄や磁性ステンレス等の磁性金属の鍋を加熱する加熱コイルＢで、トッププレート３の下側に位置するように本体１内の右側と左側に設置されている。なお、この加熱コイルＢ７でアルミニウム製鍋を連続加熱することもできる。
【００１９】
８は円形のニクロム線ヒータで、トッププレート３のほぼ中央後部の下側に位置するように本体１内の上部に配置されている。
【００２０】
９は操作部で、本体１の前面右側に配置されており、後記する出力制御部６と連動しており、メインスイッチ及び加熱コイルＡ４、加熱コイルＢ７、ニクロム線ヒータ８、本体１の左側面に配備された後記ロースター加熱部１０への通電入り切り、設定、火力調節を行なうスイッチやツマミ類で構成されている。
【００２１】
１０はロースター加熱部で、加熱コイルＢ７の下側に位置しており、本体１の前面右側から本体1内に魚等を出し入れする。
【００２２】
１２は冷却風洞で、加熱コイルＡ４の下側に設置されており、その上面に多数の送風口１２ａを備えており、後記する冷却ファン１１からの冷却風を加熱コイルＡ４とＢ７へ吹き付けるものである。
【００２３】
１５は加熱コイルＡ４の右表示部、１６は加熱コイルＢ７の左表示部、１７はニクロム線ヒータ８の中央表示部であり、夫々加熱コイルＡ４、加熱コイルＢ７及びニクロム線ヒータ８と対向するようにトッププレート３の前部に設けられており、夫々の運転状態又は運転するための設定状態（火力、タイマーの設定状態、揚げ物調理時の油温等）を数値、文字、図形等により表示するものである。
【００２４】
１８、１９は本体１の後部上面の右側と左側に開口した吸気口及び排気口で、トッププレート３の後部に設けた開口穴３ａに通じている。
【００２５】
２０は交流から直流に変換するための平滑用のチョークコイルで、本体１内の上部で排気口１９の入口側に配置されている。この排気口１９の入口側は、後記する冷却ファン１１によって加熱コイルＡ４と加熱コイルＢ７を冷却した後の廃風が通る通路となっていて一定のスペースが確保されており、このスペースに基板収納部５内に収納しきれない等のチョークコイル２０を配置しており、図では２個配置されている。
【００２６】
２１はケースカバーで、チョークコイル２０を上面と側面から覆っており、該チョークコイル２０に本体１の後部上面の左側に設けられた排気口１９から水が侵入しても直接掛からないようにしている。
【００２７】
図２において、５は基板収納部で、本体１内において加熱コイルＡ４の下側に設置されており、吸気口１８に近い側の空間内に冷却ファン１１、加熱コイルＡ４の下側に位置した空間内に複数の出力制御部６ａ、６ｂ、６ｃよりなる出力制御部６が上下方向に沿って設置されている。
【００２８】
また、前記冷却ファン１１はモータ１１ａの上下に同軸の駆動軸を突出させてその上下に回転ファン１１ｂ、１１ｃを連結し、一方の回転ファン１１ｂによって吸気口１８から吸い込んだ冷却空気を図１に示す冷却風洞１２を通してその送風口１２ａから加熱コイルＡ４及び加熱コイルＢ７の下面に流入させ、該加熱コイルＡ４及び加熱コイルＢ７を冷却するとともに、他方の回転ファン１１ｃによって吸い込んだ冷却空気を複数の出力制御部６ａ、６ｂ、６ｃに流入させ、該出力制御部６ａ、６ｂ、６ｃを冷却し、冷却後の廃風をケースカバー２１を通して排気口１９より排出するようにし、その間にチョークコイル２０も冷却するようにしている。
【００２９】
１４はリード線等の接続部材で、出力制御部６ａ、６ｂ、６ｃと非金属のアルミニウム製鍋を連続加熱できる右加熱コイルＡ４及び加熱コイルＢ７を電気的に接続している。
【００３０】
次に上記構成における動作を説明する。尚、図における矢印は、冷却空気の流れを示している。
【００３１】
使用者が加熱コイルＡ４か加熱コイルＢ７又はその両方を使用して調理用鍋を加熱する状態について説明する。
【００３２】
調理用鍋をトッププレート３の上面に載置した後、操作部９のメインスイッチをＯＮにする。
【００３３】
次に操作部９のスイッチおよびツマミを操作すると、加熱コイルＡ４、加熱コイルＢ７又はその両方が運転され、右表示部１５、左表示部１６にその運転状態が表示される。
【００３４】
また、同時に冷却ファン１１が回転し、一方の回転ファン１１ｂによって吸気口１８から吸い込んだ冷却空気を図１に示す冷却風洞１２を通してその送風口１２ａから加熱コイルＡ４及び加熱コイルＢ７の下面に流入させ、該加熱コイルＡ４及び加熱コイルＢ７を冷却すると共に、他方の回転ファン１１ｃによって吸い込んだ冷却空気を出力制御部６ａ、６ｂ、６ｃに流入させ、該出力制御部６ａ、６ｂ、６ｃを冷却する。
【００３５】
その後、冷却したのちの廃風は本体１内の上部後方のケースカバー２１内に流入し、このケースカバー２１を通る間にチョークコイル２０を冷却し、排気口１９から排出される。
【００３６】
なお、この加熱調理中、調理用鍋からふきこぼれ等が生じて本体１内上部の後方に設けられた排気口１９から水が浸入した場合にはケースカバー２１によってその水がチョークコイル２０に掛かるのを防止する。
【００３７】
上記本発明によれば、チョークコイル２０を本体１後方上部の排気口１９の入口側に配置して加熱コイルＡ４、加熱コイルＢ７及び出力制御部６を冷却した後の廃風により冷却を行なうことにより、出力制御部６のレイアウトで大きな面積を占めていたチョークコイル２０を出力制御部６の基板から分離し、冷却構造を踏まえた最適なレイアウトに配置することができる。
【００３８】
また、加熱調理中、調理用鍋からふきこぼれ等が生じて本体１内上部の後方に設けられた排気口１９から水が浸入した場合でもケースカバー２１によってその水がチョークコイル２０に掛かるのを防止することができる。
【００３９】
さらに、非磁性体であるアルミニウム製鍋の連続加熱等、出力制御部の基板が大きくなることが避けられない近年のハイパワー化に対しても、本体１の制約寸法内で大型化した出力制御部６の基板やチョークコイル２０を確実に本体１内に収納し、製品の性能を向上させることができる。
【図面の簡単な説明】
【００４０】
【図１】本発明の誘導加熱調理器の一部を分解した斜視図である。
【図２】本発明の誘導加熱調理器の横断面図である。
【図３】本発明の誘導加熱調理器をシステムキッチンに組み込んだ状態の外観斜視図である。
【符号の説明】
【００４１】
１・・・本体
３・・・トッププレート
４・・・加熱コイルＡ
５・・・基板収納部
６・・・出力制御部
７・・・加熱コイルＢ
１１・・・冷却ファン
１９・・・排気口
２０・・・チョークコイル
２１・・・ケースカバー
【図１】
2005050716.tif 000003
【図２】
2005050716.tif 000004
【図３】
2005050716.tif 000005